(57)【要約】      （修正有）【課題】手指を入れて止め易く、手から抜けにくいメガネのレンズふきを提供する。【解決手段】この考案のメガネのレンズふき１０は、袋状のレンズふき部１２と、レンズふき部１２の後端に形成された手挿入部１４とを備え、前記レンズふき部１２は、その後端が、小指の根元の膨らみ１０６から親指の根元の膨らみ１０８にかけて覆う長さを有する、正面視きのこ状であり、前記手挿入部１４は、一方の手で、他方の手指１００をレンズふき部１２の内部に挿入できるように、弾性体１６を付設されて伸縮自在に形成され、レンズふき部１２の内部に挿入された手からレンズふき部１２が抜け出ないように手の親指側側面から小指側側面にかけて締めるように構成されている。【選択図】図３
0003154921.tif 000002
【実用新案登録請求の範囲】
【請求項１】
手指の根元から手指の先までを覆う袋状のレンズふき部と、前記レンズふき部の内部に連通するようにレンズふき部の後端に形成された手挿入部とを備え、
前記レンズふき部は、柔軟性を有し、その後端が、小指の根元の膨らみから親指の根元の膨らみにかけて覆う長さを有し、前記レンズふき部の後端から先端との中間に至るまでは幅方向に膨らみ、該中間から先端に至るまでは幅狭となる、正面視きのこ状であり、
前記手挿入部は、一方の手で、他方の手指をレンズふき部の内部に挿入できるように、弾性体を付設されて伸縮自在に形成され、レンズふき部の内部に挿入された手からレンズふき部が抜け出ないように手の親指側側面から小指側側面にかけて締めるように構成されたことを特徴とする、メガネのレンズふき。
【請求項２】
前記レンズふき部は、レンズふき部を構成する布地の後端を内側に折り返し、表側の布地と内側の布地の端縁近傍とを縫い合わせた筒状の弾性体収容部を形成され、
前記弾性体収容部に環状の弾性体が収容されている、請求項１に記載のメガネのレンズふき。
【請求項３】
前記弾性体は、ゴムひもからなる、請求項１又は請求項２に記載のメガネのレンズふき。
【請求項４】
前記手挿入部は、小指の根元の膨らみから親指の根元の膨らみに亘って掛け渡され、且つ弾性体によって締め付けられる、請求項１ないし３のいずれかに記載のメガネのレンズふき。
【考案の詳細な説明】
【技術分野】
【０００１】
本考案は、メガネのレンズふきに関する。
【背景技術】
【０００２】
従来のメガネのレンズふきには、たとえば１枚の布地を円筒状に形成したものがあった。この円筒状のレンズふきは、手指が円筒状のレンズふきから突き抜けてしまうため、力を入れてレンズをふきにくいものであった。
そこで、本願考案者は、手指が突き抜けないようにするために、メガネのレンズふきを円筒状のものから、円筒袋形に改良されたものを提案した。この円筒袋形のメガネのレンズふきでは、手指の先が突き抜けないため、力を入れてメガネのレンズをふくことができる。
【先行技術文献】
【特許文献】
【０００３】
【特許文献１】実登３０７００２８号公報
【考案の概要】
【考案が解決しようとする課題】
【０００４】
従来のメガネのレンズふきは、一方の手全体を覆い、手首においてループ状紐状体からなる締め付け具により締め付けるように構成されているが、他方の手で締め付け具を締め付ける作業をしづらい構造であった。特に、弱視や高齢者・子供等に顕著である。
【０００５】
それゆえに、本考案の主たる目的は、片一方の手で他方の手指を内側に入れることができ、入れた手において止め易く且つ入れた手から抜けにくいメガネのレンズふきを提供することである。
【課題を解決するための手段】
【０００６】
この考案にかかるメガネのレンズふきは、手指の根元から手指の先までを覆う袋状のレンズふき部と、前記レンズふき部の内部に連通するようにレンズふき部の後端に形成された手挿入部とを備え、前記レンズふき部は、柔軟性を有し、その後端が、小指の根元の膨らみから親指の根元の膨らみにかけて覆う長さを有し、前記レンズふき部の後端から先端との中間に至るまでは幅方向に膨らみ、該中間から先端に至るまでは幅狭となる、正面視きのこ状であり、前記手挿入部は、一方の手で、他方の手指をレンズふき部の内部に挿入できるように、弾性体を付設されて伸縮自在に形成され、レンズふき部の内部に挿入された手からレンズふき部が抜け出ないように手の親指側側面から小指側側面にかけて締めるように構成されたことを特徴とする、メガネのレンズふきである。
この考案の請求項２にかかるメガネのレンズふきは、前記レンズふき部は、レンズふき部を構成する布地の後端を内側に折り返し、表側の布地と内側の布地の端縁近傍とを縫い合わせた筒状の弾性体収容部を形成され、前記弾性体収容部に環状の弾性体が収容されている、請求項１に記載のメガネのレンズふきである。
この考案の請求項３にかかるメガネのレンズふきは、前記弾性体は、ゴムひもからなる、請求項１又は請求項２に記載のメガネのレンズふきである。
この考案の請求項４にかかるメガネのレンズふきは、前記手挿入部は、小指の根元の膨らみから親指の根元の膨らみに亘って掛け渡され、且つ弾性体によって締め付けられる、請求項１ないし３のいずれかに記載のメガネのレンズふきである。
【考案の効果】
【０００７】
本考案にかかるメガネのレンズふきは、手指の根元から手指の先までを覆う袋状のレンズふき部と、前記レンズふき部の内部に連通するようにレンズふき部の後端に形成された手挿入部とを備え、前記レンズふき部は、柔軟性を有し、その後端が、小指の根元の膨らみから親指の根元の膨らみにかけて覆う長さを有し、前記レンズふき部の後端から先端との中間に至るまでは幅方向に膨らみ、該中間から先端に至るまでは幅狭となる、正面視きのこ状であり、前記手挿入部は、一方の手で、他方の手指をレンズふき部の内部に挿入できるように、弾性体を付設されて伸縮自在に形成され、レンズふき部の内部に挿入された手からレンズふき部が抜け出ないように手の親指側側面から小指側側面にかけて締めるように構成されているので、片一方の手で他方の手指を内側に入れることができ、入れた手において止め易く且つ入れた手から抜けにくい。
本考案の請求項２にかかるメガネのレンズふきは、前記レンズふき部は、レンズふき部を構成する布地の後端を内側に折り返し、表側の布地と内側の布地の端縁近傍とを縫い合わせた筒状の弾性体収容部を形成され、前記弾性体収容部に環状の弾性体が収容されているので、手を入れて最適な位置にレンズふき部を入れた手において止め易く、入れた手から抜けにくい。
本考案の請求項３にかかるメガネのレンズふきは、前記弾性体は、ゴムひもからなるので、手を入れて最適な位置にレンズふき部を入れた手において止め易く、入れた手から抜けにくい。
本考案の請求項４にかかるメガネのレンズふきは、前記手挿入部は、小指の根元の膨らみから親指の根元の膨らみに亘って掛け渡され、且つ弾性体によって締め付けられるので、手を入れて最適な位置にレンズふき部を入れた手において止め易く、入れた手から抜けにくい。
【０００８】
この考案の上述の目的，その他の目的，特徴及び利点は、図面を参照して行う以下の考案を実施するための最良の形態の詳細な説明から一層明らかとなろう。
【図面の簡単な説明】
【０００９】
【図１】本考案にかかるメガネのレンズふきの斜視図解図であり、（Ａ）はその全体を示す図解図であり、（Ｂ）はその要部を示す一部切欠き斜視図解図である。
【図２】図１図示メガネのレンズふきの背面斜視図解図である。
【図３】図１図示メガネのレンズふきで、手指を覆った状態を示す斜視図解図である。
【図４】図１図示メガネのレンズふきの内部に手を挿入する方法を示す斜視図解図である。
【図５】図１図示メガネのレンズふきによりメガネのレンズをふく方法を示す斜視図解図である。
【考案を実施するための形態】
【００１０】
図１は、本考案にかかるメガネのレンズふきの斜視図解図であり、（Ａ）はその全体を示す図解図であり、（Ｂ）はその要部を示す一部切欠き斜視図解図である。
メガネのレンズふき１０は、手指１００の根元１０２から手指の先１０４までを覆う袋状のレンズふき部１２と、前記レンズふき部１２の内部に連通するようにレンズふき部１２の後端に形成された手挿入部１４とを備える。
【００１１】
前記レンズふき部１２は、柔軟性を有し、その後端が、小指の根元の膨らみ１０６から親指の根元の膨らみ１０８にかけて覆う長さを有し、前記レンズふき部１２の後端から先端との中間に至るまでは幅方向に膨らみ、該中間から先端に至るまでは幅狭となる、正面視きのこ状である。
【００１２】
前記手挿入部１４は、一方の手で、他方の手指１００をレンズふき部１２の内部に挿入できるように、弾性体１６を付設されて伸縮自在に形成され、レンズふき部１２の内部に挿入された手からレンズふき部１２が抜け出ないように手の親指側側面から小指側側面にかけて締めるように構成されている。
【００１３】
前記レンズふき部１２は、レンズふき部１２を構成するきのこ形布地１２ａ及びきのこ形布地１２ｂの後端を内側に折り返し、表側のきのこ形布地１２ａと内側のきのこ形布地１２ａの端縁近傍と及び表側のきのこ形布地１２ｂと内側のきのこ形布地１２ｂの端縁近傍とを縫い合わせた、筒状の弾性体収容部１８を形成されている。
前記弾性体収容部１８は、環状の弾性体１６が収容されている。前記弾性体１６は、ゴムひもからなる。
【００１４】
前記手挿入部１４は、小指の根元の膨らみ１０６の後ろから親指の根元の膨らみ１０８の後ろに亘って掛け渡され、且つ弾性体１６によって手の平及び手の甲が締め付けられる。
而して、レンズふき部１２は、手指１００を入れて止め易く、手から抜けにくい。
【００１５】
次に、本考案にかかるメガネのレンズふき１０の作製方法について、図１なども参照しながら説明する。
先ず、正面視きのこ状に裁断された吸水性を有する２枚のきのこ形布地１２ａ及びきのこ形布地１２ｂが準備される。この場合、前記きのこ形布地１２ａ及びきのこ形布地１２ｂは、それぞれ、柔軟性を有し、その後端が、小指の根元の膨らみ１０６から親指の根元の膨らみ１０８にかけて覆う長さを有し、前記きのこ形布地１２ａ及びきのこ形布地１２ｂの後端から先端との中間に至るまでは幅方向に膨らみ、該中間から先端に至るまでは幅狭となる、正面視きのこ状である。
きのこ形布地１２ａときのこ形布地１２ｂとは、略々同一の形状である。
【００１６】
次に、２枚のきのこ形布地１２ａ及びきのこ形布地１２ｂが重ね合わされ、手挿入部１４となる部分を残して、その周縁部が地縫いされることによって、縫合部２０が形成される。さらに、手挿入部１４となる挿入口部は、たとえばレンズふき部１２を構成するきのこ形布地１２ａ及びきのこ形布地１２ｂの後端を内側に折り返し、表側のきのこ形布地１２ａの端縁近傍及び表側のきのこ形布地１２ｂの端縁近傍と内側のきのこ形布地１２ｂの端縁近傍とを縫い合わせて、筒状の弾性体収容部１８を形成する。
【００１７】
弾性体１６は、弾性体収容部１８の一部に設けられた弾性体１６を挿入する挿入口より弾性体収容部１８内に入れられる。
あるいは、弾性体１６は、弾性体収容部１８を形成するために、レンズふき部１２を構成するきのこ形布地１２ａ及びきのこ形布地１２ｂの後端を内側に折り返し、表側のきのこ形布地１２ａ及びきのこ形布地１２ｂと内側のきのこ形布地１２ａ及びきのこ形布地１２ｂの端縁近傍とを縫い合わせて筒状の弾性体収容部１８を形成する前に、弾性体１６を弾性体収容部１８が形成される部位に載置して、きのこ形布地１２ａ及びきのこ形布地１２ｂを縫い合わせ、弾性体収容部１８内に入れられるようにしてもよい。
【００１８】
本考案にかかるメガネのレンズふき１０は、前記きのこ形布地１２ａ及びきのこ形布地１２ｂが、柔軟性を有し、その後端が、小指の根元の膨らみ１０６から親指の根元の膨らみ１０８にかけて覆う長さを有し、前記きのこ形布地１２ａ及びきのこ形布地１２ｂの後端から先端との中間に至るまでは幅方向に膨らみ、該中間から先端に至るまでは幅狭となる、正面視きのこ状に形成されているため、図３に示すように、手挿入部１４から入れられた手がスムーズに挿入され、手の指先は、手の指全部を自由に広げた状態で収められる。そのため、手指１００をその中で自在に動かすことが可能となり、図５などに示すように、メガネのレンズ全体を十分にきれいに清掃することができる。
【００１９】
また、手挿入部１４は、一方の手で、他方の手指１００をレンズふき部１２の内部に挿入できるように、弾性体１６を付設されて伸縮自在に形成され、レンズふき部１２の内部に挿入された手からレンズふき部１２が抜け出ないように手の親指側側面から小指側側面にかけて締めるように構成されているので、図４において示すように、メガネのレンズふき１０を挿入する手とは別の手で容易に手を挿入することができ、且つレンズを拭くときにレンズふき１０の布が手指１００から滑って離れることもない。そのため、メガネのレンズをふきやすく使い勝手のよいものとなり、レンズをはやくきれいにふける。
【００２０】
さらに、きのこ形に形成された２枚のきのこ形布地１２ａ及びきのこ形布地１２ｂが地縫いされた縫合部２０によって、きのこ形袋状に形成されるので、袋状の全周囲全域のいずれの部分でも、メガネのレンズをふくことが可能である。
【００２１】
さらに、本考案のメガネのレンズふき１０は、特に、その手挿入部１４の開口部が弾性体１６の作用により適宜締め付け可能に形成されているので、レンズふき１０を手に嵌めた後、手挿入部１４の周縁部を弾性体１６により手首部分に締めつけられて、図３に示すように、このレンズふき１０でレンズを拭いている途中に、レンズふき１０が手から不用意にずれたり抜け落ちたりすることを完全に防止することができる。
【００２２】
本考案にかかるメガネのレンズふきは、大人と子供の兼用型とすれば、大人において、前記きのこ形布地１２ａ及びきのこ形布地１２ｂが、柔軟性を有し、その後端が、小指の根元の膨らみ１０６から親指の根元の膨らみ１０８にかけて覆う長さを有する、正面視きのこ状であれば、子供が使用するときは手首から手の先まで、レンズふき部１２で覆われることになる。
【００２３】
本考案にかかるメガネのレンズふき１０は、その中に手指１００を簡単に挿入して手指１００を覆い、かつ、手指１００をその中で自在に動かして、メガネのレンズ全体を十分に清掃することができると共に、使用中に手から外れたり抜け落ちたりする恐れが全くない。
【符号の説明】
【００２４】
１０  メガネのレンズふき
１２  レンズふき部
１２ａ，１２ｂ  きのこ形布地
１４  手挿入部
１６  弾性体
１８  弾性体収容部
２０  縫合部
１００  手指
１０２  手指の根元
１０４  手指の先
１０６  小指の根元の膨らみ
１０８  親指の根元の膨らみ
【図１】
0003154921.tif 000003
【図２】
0003154921.tif 000004
【図３】
0003154921.tif 000005
【図４】
0003154921.tif 000006
【図５】
0003154921.tif 000007